(57)【要約】【課題】    調整池のように広い面積の設置スペースを必要とせず、雨水を一時貯留させることが出来、メンテナンス性の良好な雨水流出抑制排水路構造を提供する。【解決手段】  雨水流出抑制排水路構造１１は、暗渠１４と浸透渠部１６との間に、この暗渠１４内の雨水を、浸透渠部１６へ流出可能な連通部としての堰１９が、形成されている。  充填部材１８は、ポリプロピレン等の合成樹脂製材料で構成されていて、水平面に対して、一定の傾斜角度（約５度程度）で傾斜する上面視略正方形形状の傾斜面部傾斜板部１８ａと、この傾斜板部１８ａの四隅に一体に形成されて、上部に連設される他の充填部材１８…及び後述する補強部材３０，３０等の荷重を支持する４本の支持脚柱部１８ｂ，１８ｂ…とを有して、主に構成されている。【選択図】図１
2006274628.tif 000002
【特許請求の範囲】
【請求項１】
雨水等を導いて排水する導水溝ブロックを連設して排水路を形成すると共に、該排水路の連設方向に沿って形成された貯留空間内に複数の充填部材を連設した浸透渠部を併設し、前記排水路と、該浸透渠部との間には、該排水路内の雨水を該浸透渠部へ流出可能な連通部が設けられていることを特徴とする雨水流出抑制排水路構造。
【請求項２】
前記充填部材には、一定方向に雨水を流下させる斜面部が形成され、該斜面部の傾斜方向と前記排水路の流下方向とが同一であることを特徴とする請求項１記載の雨水流出抑制排水路構造。
【請求項３】
前記充填部材は、合成樹脂製材料で縦横又は上下方向に他の充填部材と連結可能に形成されていることを特徴とする請求項１又は２記載の雨水流出抑制排水路構造。
【請求項４】
前記連通部は、前記導水溝ブロックの側面に形成されて、前記排水路からの越流量を調整可能なスリットを有することを特徴とする請求項１乃至３のうち何れか一項記載の雨水流出抑制排水路構造。
【請求項５】
前記スリットの形成位置を前記排水路の底面部よりも、鉛直方向で高い位置に設定したことを特徴とする請求項１乃至４のうち何れか一項記載の雨水流出抑制排水路構造。
【請求項６】
前記排水路と、前記浸透渠部とに跨る周壁に囲まれて形成される複合マンホール部を有し、前記連通部が、該複合マンホール部内に設けられた堰によって構成されることを特徴とする請求項１記載の雨水流出抑制排水路構造。
【請求項７】
前記充填部材に設けられた斜面部により雨水が流下する方向で、前記浸透渠部の一部に連通するマンホールを設けたことを特徴とする請求項２乃至５のうち何れか一項記載の雨水流出抑制排水路構造。                   
【発明の詳細な説明】
【技術分野】
【０００１】
この発明は、雨水等を排水又は浸透させる雨水流出抑制排水路構造に関し、特に、雨水と共に流入する砂等を効率良く除去できる雨水流出抑制排水路構造に関するものである。
【背景技術】
【０００２】
従来、図１１に示すような排水路構造が、知られている。
【０００３】
まず、構成から説明すると、この従来の排水路構造では、道路１脇に設けられた側溝２，２には、グレーチング部３ａ，３ａ及び地中に埋設される連通管３ｂ，３ｂを介して、排水路としての暗渠４又は、地表Ｇから露出する部分を開放する断面凹字状の開渠５が連通されている。
【０００４】
これらの暗渠４又は、開渠５は、雨水６若しくは、家屋７から放出される家庭雑排水８を集水して、河川９や或いは図示省略の下水処理施設へ導くように構成されている。
【０００５】
また、図１２及び図１３に示すように、側溝を構成するＵ字状ブロック１０の側壁上縁１１に、複数のスリット１２…が一定間隔で、切り欠き形成されているものも知られている（例えば、特許文献１参照）。
【０００６】
このようなものでは、地中ＵＧに連設されて埋設される複数の前記Ｕ字状ブロック１０…の各スリット１２…に、栗石等からなる透水性の濾過材１３が配設されて、透水性の表層１５及び、不透水性の基層１６とからなる排水性舗装道路１４への降雨を、このＵ字状ブロック１０内に導くように構成されている。
【０００７】
次に、この従来の雨水流出抑制排水路構造の作用について説明する。
【０００８】
このように構成された従来のＵ字状ブロック１０では、降雨により、前記排水性舗装道路１４を流下する雨水が、開放された上方からの雨水と共に、このＵ字状ブロック１０内に導かれる。
【０００９】
そして、前記暗渠４又は、開渠５を介して、河川９や或いは図示省略の下水処理施設等へ導かれる。
【特許文献１】特開平１１−１４８１６５号公報（段落００１０乃至００３４、図１乃至図３７）
【発明の開示】
【発明が解決しようとする課題】
【００１０】
しかしながら、このような従来の排水路構造では、大雨によって流量が多くなると、一時に河川９や或いは図示省略の下水処理施設等へ雨水が流入して、処理等しきれず、機能低下或いは、氾濫等の要因となっていた。
【００１１】
また、大規模な宅地造成地では、造成面積に見合う間隔や規模で調整池が造成されている。
【００１２】
このような調整池では、貯留部の壁面を種類別の浸透シート等で覆い、一時的に貯水出来るように構成することによって、貯留施設、浸透施設、及びこれらの貯留，浸透両機能を兼ね備えた貯留浸透施設として機能させている。
【００１３】
しかしながら、このような調整池では、長期間使用しているうちに、雨水が流れ込む流入部を通過した砂や汚泥が、施設の底面に沈殿して堆積してしまう。
【００１４】
これらの堆積した砂や汚泥は、施設の底面から除去することが困難であると共に、堆積量の増大に伴って、貯水出来る雨水量は減少してしまう。
【００１５】
また、堆積した砂や汚泥によって、前記透水性シートが目詰まりを引き起こし、貯留浸透施設としての機能が損なわれる虞もあった。
【００１６】
そこで、この発明は、調整池のように広い面積の設置スペースを必要とせず、雨水を一時貯留させることが出来、メンテナンス性の良好な雨水流出抑制排水路構造を提供することを課題としている。
【課題を解決するための手段】
【００１７】
上記目的を達成するために、請求項１に記載された発明は、雨水等を導いて排水する導水溝ブロックを連設して排水路を形成すると共に、該排水路の連設方向に沿って形成された貯留空間内に複数の充填部材を連設した浸透渠部を併設し、前記排水路と、該浸透渠部との間には、該排水路内の雨水を該浸透渠部へ流出可能な連通部が設けられている雨水流出抑制排水路構造を特徴としている。
【００１８】
また、請求項２に記載されたものは、前記充填部材には、一定方向に雨水を流下させる斜面部が形成され、該斜面部の傾斜方向と前記排水路の流下方向とが同一である請求項１記載の雨水流出抑制排水路構造を特徴としている。
【００１９】
更に、請求項３に記載されたものは、前記充填部材は、合成樹脂製材料で縦横又は上下方向に他の充填部材と連結可能に形成されている請求項１又は２記載の雨水流出抑制排水路構造を特徴としている。
【００２０】
また、請求項４に記載されたものは、前記連通部は、前記導水溝ブロックの側面に形成されて、前記排水路からの越流量を調整可能なスリットを有する請求項１乃至３のうち何れか一項記載の雨水流出抑制排水路構造を特徴としている。
【００２１】
そして、請求項５に記載されたものは、前記スリットの形成位置を前記排水路の底面部よりも、鉛直方向で高い位置に設定した請求項１乃至４のうち何れか一項記載の雨水流出抑制排水路構造を特徴としている。
【００２２】
更に、請求項６に記載されたものは、前記排水路と、前記浸透渠部とに跨る周壁に囲まれて形成される複合マンホール部を有し、前記連通部が、該複合マンホール部内に設けられた堰によって構成される請求項１記載の雨水流出抑制排水路構造を特徴としている。
【００２３】
また、請求項７に記載されたものは、前記充填部材に設けられた斜面部により雨水が流下する方向で、前記浸透渠部の一部に連通するマンホールを設けた請求項２乃至５のうち何れか一項記載の雨水流出抑制排水路構造を特徴としている。
【発明の効果】
【００２４】
このように構成された本願発明の請求項１記載のものは、降雨により雨水が、前記導水溝ブロックによって形成される排水路に集水されると、該排水路と、前記浸透渠部との間に設けられた連通部が、該排水路内の雨水を該浸透渠部へ流出させる。
【００２５】
前記浸透渠部では、流入した雨水が、一時的に該浸透渠部内に貯留されると共に、徐々に地中に浸透される。
【００２６】
このため、前記排水路を介して、河川や或いは下水処理施設等へ流下する雨水の水量を減少させることができるため、下水処理施設の機能低下或いは河川の氾濫の虞が減少する。
【００２７】
また、前記浸透渠部の貯留空間内には、複数の充填部材が連設されているので、該貯留空間の上方を道路等の施設としても、該充填部材で下方から支持可能である。
【００２８】
このため、従来の調整池のように、別途、広い面積の設置スペースを必要とせず、例えば、路肩の地中等、通常使用されていない空間を有効に活用出来、スペース効率が良好である。
【００２９】
また、請求項２に記載されたものは、前記充填部材に形成された傾斜面部によって、雨水が、一定方向に流下されて、砂又は汚泥等を雨水の流れと共に誘導されて、一箇所に収集することができる。
【００３０】
このため、収集された砂又は汚泥等を一箇所で除去すればよいので、メンテナンス性が良好である。
【００３１】
更に、請求項３に記載されたものは、前記充填部材は、合成樹脂製材料で構成されているので、所定の大きさで形成されることにより、重量を増大させることが無く、搬送性が良好である。そして、施工現場では、縦横又は上下方向に組み合わせて、他の充填部材と連結することにより、前記浸透渠部の貯留空間内に容易に安定させて設置出来る。
【００３２】
このため、施工性が良好である。
【００３３】
そして、請求項４に記載されたものは、前記導水溝ブロックの側面に設けられたスリットによって、水流量が調整される。
【００３４】
このため、前記スリットの高さ位置及び開口面積により、容易に水流量が調整可能であるので、施工対応力が良好である。
【００３５】
また、請求項５に記載されたものは、前記スリットの形成位置が、前記排水路の底面部よりも、鉛直方向で高い位置に設定されているので、該スリットは、比較的砂又は汚泥等の交雑が少ない雨水をオーバーフローさせることができる。
【００３６】
このため、前記浸透渠部内に、流入する砂又は汚泥等の交雑物の量を減少させて、メンテナンス間隔を拡げることができる。
【００３７】
更に、請求項６に記載されたものは、複合マンホール部から、前記排水路及び、前記浸透渠部内に作業員が入り、該浸透渠部内等内に堆積した砂又は汚泥等の交雑物を除去することができる。
【００３８】
そして、請求項７に記載されたものは、前記充填部材に設けられた斜面部により雨水が流下する方向に設けられたマンホールに、砂又は汚泥等の交雑物が収集されるため、メンテナンス性が更に良好である。
【発明を実施するための最良の形態】
【００３９】
次に、図面に基づいて、この発明を実施するための最良の実施の形態の雨水流出抑制排水路構造を説明する。
【００４０】
なお、前記従来例と同一乃至均等な部分については同一符号を付して説明する。
【００４１】
図１乃至図１０は、この発明の実施の形態の雨水流出抑制排水路構造１３等を説明するものである。
【００４２】
まず、構成を説明すると、図２に示すように、この雨水流出抑制排水路構造１３は、道路１０１脇に設けられた側溝２，２には、グレーチング部３ａ，３ａ及び地中に埋設される連通管３ｂ，３ｂを介して、排水路としての暗渠１４又は、地表Ｇから露出する部分を開放する断面凹字状の開渠１５が連通されている。
【００４３】
これらの暗渠１４又は、開渠１５は、雨水６若しくは、家屋７から放出される家庭雑排水８を集水して、河川９や或いは図示省略の下水処理施設へ導くように構成されている。
【００４４】
そして、これらの暗渠１４及び開渠１５に併設されて、浸透渠部１６，１６が形成されている。
【００４５】
この浸透渠部１６は、暗渠１４の連設方向に沿って隣接形成された貯留空間１７内に複数の充填部材１８…が連設されて主に構成されている。
【実施例１】
【００４６】
図１乃至図５に示すこの実施の形態の実施例１では、前記排水路として暗渠１４側の雨水流出抑制排水路構造１３の構成を中心に説明し、前記開渠１５側の構成は、この暗渠１４側の構成と略同様であるので説明を省略する。
【００４７】
この実施例１の雨水流出抑制排水路構造１３では、図１に示すように、前記暗渠１４が、導水溝ブロックとしてのボックスカルバート部材１４ａ…を複数個、連設させて構成されている。  
【００４８】
これらのボックスカルバート部材１４ａは、中空四角筒状のコンクリート製で、内部が、トンネル長尺形状の中空空間を呈するように連結されることにより、雨水を流通させる排水路空間が暗渠１４内に形成されている。
【００４９】
これらの暗渠１４と浸透渠部１６との間に、この暗渠１４内の雨水を、浸透渠部１６へ流出させると共に、流水量を調整可能な連通部としての堰１９が、形成されている。
【００５０】
この実施例１の前記堰１９の上縁位置は、前記排水路１４の底面部１４ｂよりも、鉛直方向で高い位置で、しかも、暗渠１４の上面部１４ｃより低い位置となるように設定されている。
【００５１】
そして、この堰１９を内部に有してなる複合マンホール部２０が設けられている。  この複合マンホール部２０は、前記暗渠１４の一部及び浸透渠部１６の一部に跨るように介在された周壁２１によって、略四辺を囲まれて、内部空間２２に作業者が入ることのできる大きさに設定されている。
【００５２】
この周壁には、前記暗渠１４内空間と連通する排水路連通孔２１ａ，２１ａと、前記浸透渠部１６の貯留空間１７と連通する浸透空間連通孔２１ｂ，２１ｂとが、開口形成されている。このうち、前記浸透空間連通孔２１ｂには、グレーチング２３が装着されている。
【００５３】
次に、この実施例１の貯留空間１７内に連設される充填部材１８…の構成について詳述する。
【００５４】
この実施例１の充填部材１８は、図４及び図５に示すように、ポリプロピレン等の合成樹脂製材料で構成されていて、水平面に対して、一定の傾斜角度（この実施例１では、約５度程度）で傾斜する上面視略正方形形状の傾斜板部１８ａと、この傾斜板部１８ａの四隅に一体に形成されて、上部に連設される他の充填部材１８…及び後述する補強部材３０，３０等の荷重を支持する４本の支持脚柱部１８ｂ，１８ｂ…とを有して、主に構成されている。
【００５５】
このうち、前記傾斜板部１８ａは、一辺を約０．５〜１．２ｍ、厚みを約４〜５ｍｍ程度として、人力で持ち運び可能な大きさと重さとなるように構成されていると共に、前記傾斜角度によって、流入した雨水を、図４中矢印に示す所定の方向ｓに導くように、一辺の両隅に位置する前記支持脚柱部１８ｂ，１８ｂ間から反対側の一辺の支持脚柱部１８ｂ，１８ｂ間に向けて下降するように傾斜された状態で固着されている。
【００５６】
この傾斜板部１８ａの裏面側には、図５に示すように、所定の間隔で、縦横に一体となるように立設されることにより、格子状を呈する複数の補強リブ部１８ｃ…が形成されている。
【００５７】
また、前記支持脚柱部１８ｂは、各々略直角二等辺三角形形状を呈していて、三角筒柱状を呈する上部柱部１８ｄの内側に内嵌されて、連設可能なように略三角状に連結片が立設された下部柱部１８ｅが形成されている。
【００５８】
更に、この実施例１では、図３に示すように、上下に連設される前記充填部材１８，１８の支持脚柱部１８ｂ，１８ｂ間に装着されて、前記傾斜板部１８ａの高さ位置を調整可能な連結部材２８…が設けられている。
【００５９】
この連結部材２８は、上面視略直角二等辺三角形形状の三角柱形状を呈し、前記下部柱部１８ｅが内嵌されて連結される上部連結部２８ａ及び前記上部柱部１８ｄが外嵌される下部連結部２８ｂとが、一体に設けられている。
【００６０】
また、この連結部材２８には、外側の直交する２面の垂直面２８ｅ，２８ｆのうち、一方の垂直面２８ｅに、接合凸部２８ｃが突設されている。
【００６１】
更に、この連結部材２８の外側の直交する２面の垂直面２８ｅ，２８ｆのうち、他方の垂直面２８ｆには、隣接配置される他の連結部材２８の接合凸部２８ｃが、挿通されて嵌着される接合孔部２８ｄが、開口形成されていて、隣接配置される他の連結部材２８の前記接合凸部２８ｃが係合されることにより、連結可能に構成されている。
【００６２】
そして、これらの充填部材１８…のうち、最上部に位置して、縦横に並設される充填部材１８の直上には、各充填部材１８に対応して、個別に平板状の補強部材３０が載置されている。
【００６３】
この実施例１の補強部材３０は、ポリプロピレン等の合成樹脂製材料で構成されていて、上面視略正方形形状の水平板部３０ａと、この水平板部３０ａの裏面側に溶着された連結板部３０ｂとから主に構成されている。
【００６４】
このうち、前記水平板部３０ａは、一辺を約０．５〜１．２ｍとして、前記充填部材１８の傾斜板部１８ａと略同じ大きさとすると共に、上載加重が上方から加わっても、容易に撓まない所定の厚さ（この実施例１では、約４〜５ｃｍ以上）を有して、人力で持ち運び可能な大きさと重さとなるように構成されている。
【００６５】
また、この水平板部３０ａには、空気及び雨水が上下方向に連通されるように、複数の小穴が、所定の間隔を置いて形成されている。
【００６６】
そして、前記連結板部３０ｂ…は、下面側四隅に形成された略直角二等辺三角形形状の連結開口部に、上側連結部材２９…が介在されて、前記充填部材１８の上部柱部１８ｄ…に連結可能としている。
【００６７】
この上側連結部材２９は、上面視略直角三角形形状の中空三角柱形状を呈している。また、この上側連結部材２９の上下両側面には、前記補強部材３０の連結部３０ｂ又は、前記充填部材１８の上部柱部１８ｂに対して内嵌されて、接続される嵌着部２９ａ，２９ａが、各々形成されている。
【００６８】
更に、これらの嵌着部２９ａ，２９ａ間には、フランジ部２９ｂが形成されている。
【００６９】
そして、この実施例１では、図１に示すように、前記充填部材１８…が、上下方向に沿って積層されて連結されると共に、前記貯留空間１７の長手方向に沿って、並設されることにより連結されている。
【００７０】
この貯留空間１７の底面部１７ａには、これらの充填部材１８の下方に位置して、Ｕ字溝１７ｂが、形成されている。
【００７１】
次に、この実施例１の雨水流出抑制排水路構造の作用について説明する。
【００７２】
このように構成された実施例１の雨水流出抑制排水路構造１３は、降雨により雨水が、前記ボックスカルバート部材１４ａによって形成される暗渠１４若しくは開渠１５等の排水路に集水されると、流下しきれない暗渠１４内の雨水が、一時的に水位を増大させて、これらの暗渠１４若しくは開渠１５と、前記浸透渠部１６との間に設けられた複合マンホール部２０内の堰１９を乗り越えて、浸透渠部１６方向へ流出させる。
【００７３】
前記浸透渠部１６では、流入した雨水が、一時的に浸透渠部１６内に貯留されると共に、徐々に周囲の地中ＵＧに浸透される。
【００７４】
このため、前記暗渠１４を介して、直接、河川や或いは下水処理施設等へ流下する雨水の水量を減少させることができるため、下水処理施設の機能低下或いは河川の氾濫の虞が減少する。
【００７５】
また、前記浸透渠部１６の貯留空間１７内には、複数の充填部材１８…が連設されていると共に、図３に示すように、前記補強部材３０…が上面部に装着されているので、前記貯留空間１７の上方を道路等の施設としても、これらの充填部材１８…で下方から支持可能である。
【００７６】
このため、従来の調整池のように、別途、広い面積の設置スペースを必要とせず、例えば、路肩の地中等、通常使用されていない空間を有効に活用出来、スペース効率が良好である。
【００７７】
また、前記充填部材１８に形成された傾斜面部としての傾斜板部１８ａによって、雨水が、一定方向Ｓに流下されて、砂又は汚泥等を雨水の流れと共に誘導されて、一箇所に収集することができる。
【００７８】
このため、収集された砂又は汚泥等を一箇所で除去すればよいので、メンテナンス性が良好である。
【００７９】
更に、前記充填部材１８は、合成樹脂製材料で構成されているので、所定の大きさで形成されることにより、重量を増大させることが無く、搬送性が良好である。
【００８０】
そして、施工現場では、縦横又は上下方向に組み合わせて、他の充填部材１８と、前記連結部材２８等を介して連結することにより、前記浸透渠部１６の貯留空間１７内に容易に安定させて設置出来る。
【００８１】
このため、施工性が良好である。
【００８２】
更に、前記導水溝ブロック１４ａの側面に相当する位置に設けられ前記複合マンホール部２０内の堰１９によって、水流量が調整される。
【００８３】
このため、前記堰１９の高さ位置及び開口面積により、容易に水流量が調整可能であるので、施工対応力が良好である。
【００８４】
また、前記堰１９の形成位置が、前記暗渠１４の底面部１４ｂよりも、鉛直方向で高い位置に設定されているので、堰１９は、比較的砂又は汚泥等の交雑が少ない雨水をオーバーフローさせることができる。
【００８５】
このため、この複合マンホール部２０から、前記浸透空間連通孔２１ｂ，２１ｂを介して、前記浸透渠部１６内に、流入する砂又は汚泥等の交雑物の量を減少させて、メンテナンス間隔を拡げることができる。
【００８６】
更に、この実施例１では、前記複合マンホール部２０から、前記暗渠１４及び、前記浸透渠部１６内に作業員が入り、浸透渠部１６内等内に堆積した砂又は汚泥等の交雑物を除去することができる。このため、更にメンテナンス性が良好である。
【実施例２】
【００８７】
図６は、この発明の実施例２の雨水流出抑制排水路構造を示すものである。
【００８８】
なお、前記実施例１と同一乃至均等な部分については、同一符号を付して説明する。
【００８９】
この実施例２の雨水流出抑制排水路構造２３では、排水路としての暗渠２４と、浸透渠部２６との間に位置する暗渠２４の側壁部２４ｂに、暗渠２４内の雨水を浸透渠部２６へ流出させると共に、流水量を調整可能な連通部としてのスリット状の連通孔２４ｃが形成されている。
【００９０】
この実施例２の前記連通孔２４ｃの上縁位置は、前記暗渠２４の底面部２４ｄよりも、鉛直方向で高い位置で、しかも、暗渠２４の上面部２４ｅより低い位置となるように設定されている。
【００９１】
次に、この実施例２の作用効果について説明する。
【００９２】
この実施例２の雨水流出抑制排水路構造２３では、降雨により雨水が、前記ボックスカルバート部材２４ａによって形成される暗渠２４に集水されると、流下しきれない暗渠２４内の雨水が、一時的に水位を増大させて、これらの暗渠２４と、前記浸透渠部２６との間に設けられた側部壁２４ｂのスリット状の連通孔２４ｃの下縁を乗り越えて、浸透渠部２６内の内部空間１７方向へ流出される。
【００９３】
他の構成及び作用効果については、前記実施例１と同様であるので説明を省略する。
【実施例３】
【００９４】
図７は、この発明の実施例３の雨水流出抑制排水路構造を示すものである。
【００９５】
なお、前記実施例１，２と同一乃至均等な部分については、同一符号を付して説明する。
【００９６】
この実施例３の雨水流出抑制排水路構造３３では、排水路としての暗渠３４と、浸透渠部２６との間に位置する暗渠３４の側壁部２４ｂに、暗渠３４内の雨水を浸透渠部３６へ流出させると共に、流水量を調整可能な連通部としてのスリット状の連通孔２４ｃが形成されている。
【００９７】
そして、上下方向に連設される前記充填部材１８，１８間には、各々上下方向に、２つづつの連結部材２８，２８が介在されて連結されることにより、内部空間１１７内に設置されている。
【００９８】
次に、この実施例３の作用効果について説明する。
【００９９】
この実施例３の雨水流出抑制排水路構造３３では、前記側部壁２４ｂのスリット状の連通孔２４ｃの下縁を乗り越えて、浸透渠部３６内の内部空間１１７方向へ浸入した雨水が、該内部空間１１７内に一時貯留される。
【０１００】
この実施例３では、実施例１の内部空間１７に比して、傾斜板部１８ａが設けられた充填部材１８の数量を減少させることができるので、一時貯留することが出来る容積を増大させることができる。
【０１０１】
他の構成及び作用効果については、前記実施例１，２と同様であるので説明を省略する。
【実施例４】
【０１０２】
図８及び図９は、この発明の実施例４の雨水流出抑制排水路構造を示すものである。
【０１０３】
なお、前記実施例１乃至３と同一乃至均等な部分については、同一符号を付して説明する。
【０１０４】
この実施例４の雨水流出抑制排水路構造では、排水路としての暗渠２４と、浸透渠部４３との間に位置する暗渠２４の側壁部２４ｂに、暗渠２４内の雨水を浸透渠部２６へ流出させると共に、流水量を調整可能な連通部としてのスリット状の連通孔２４ｃが形成されている。
【０１０５】
また、前記充填部材１８に設けられた傾斜板部１８ａの雨水が流下する方向Ｓが、前記雨水流出抑制排水路構造４３延設方向に一直線状となるように、流下方向が揃えられて、連結されている。
【０１０６】
この浸透渠部４３の下流側の一部には、角形マンホール部４４が設けられている。
【０１０７】
この角形マンホール部４４は、前記充填部材１８等と、略同一平面形状を呈し、作業者が上方から、砂又は汚泥等の取出作業を行える角形マンホール本体４４ａと、この角形マンホール本体４４ａの下部側面に形成された連通孔４５を介して、通水空間が連通されるインバートフリューム部材４６とを有して構成されている。
【０１０８】
このインバートフリューム部材４６の凹状底面部４６ａは、砂又は汚泥が堆積しにくいように、この凹状底面部４６ａの略中央のＶ字状最下溝に向けて左右方向から一定の角度で傾斜されて構成されるインバート形状を呈している。
【０１０９】
次に、この実施例４の雨水流出抑制排水路構造の作用について説明する。
【０１１０】
この実施例４の雨水流出抑制排水路構造では、前記実施例１の作用効果に加えて、更に、前記充填部材１８に設けられた傾斜板部１８ａの雨水が流下する方向Ｓが、前記雨水流出抑制排水路構造４３延設方向に一直線状となるように、流下方向が揃えられている。
【０１１１】
このため、貯留空間２１７内に侵入した雨水は、角形マンホール部４４は、インバートフリューム部材４６の凹状溝部４６ａを通過して、角形マンホール本体４４ａの下部側面に形成された連通孔４５を介して、角形マンホール本体４４ａの下部空間内に流入する。
【０１１２】
従って、この角形マンホール本体４４ａの下部空間４４ｂ底面部に、砂又は汚泥等の交雑物が集積されるので、作業者が上方から、角形マンホール本体４４ａ内の砂又は汚泥等の取出作業を行うことが出来る。
【０１１３】
このため、実施例１の複合マンホール部２０に比して、更に少ない設置面積で、この角形マンホール部４４を設置出来る。
【０１１４】
他の構成及び作用効果については、前記実施例１乃至３と同様であるので説明を省略する。
【実施例５】
【０１１５】
図１０は、この発明の実施例５の雨水流出抑制排水路構造を示すものである。
【０１１６】
なお、前記実施例１乃至４と同一乃至均等な部分については、同一符号を付して説明する。
【０１１７】
この実施例５の雨水流出抑制排水路構造５３では、複数のＵ字状ブロック部材１５ａを連設して構成される排水路としての開渠１５と、この開渠１５と浸透渠部５６との間に位置する開渠１５の側壁部１５ｂに、開渠１５内の雨水を浸透渠部５６へ流出させると共に、流水量を調整可能な連通部としてのスリット状の連通孔１５ｃ…が一定間隔で複数形成されている。
【０１１８】
また、前記浸透渠部５６の貯留空間１７内には、充填部材としての骨格部材５０…が、上下方向に、直交方向に互いに向きを変えながら積層されている。
【０１１９】
これらの骨格部材５０は、各々山型部５１…及び谷型部５２…が交互に一体となるように並設されて構成されている。
【０１２０】
このように構成された実施例５の雨水流出抑制排水路構造５３では、前記骨格部材５０…に形成される各々山型部５１…及び谷型部５２…が、上下方向に積層される他の骨格部材５０…の谷型部５２…及び山形部５１…に係合されて、間隙に雨水を一時貯留出来る空間が形成される。
【０１２１】
このため、前記貯留空間１７内に、積層されたこれらの骨格部材５０によって構成される浸透渠部５６に、一定量の雨水を一時貯留して、徐々に周囲の地中ＵＧに浸透させる。
【０１２２】
他の構成及び作用効果については、前記実施例１乃至４と同様であるので説明を省略する。
【０１２３】
以上、図面を参照して、本発明の実施の形態を詳述してきたが、具体的な構成は、この実施の形態に限らず、本発明の要旨を逸脱しない程度の設計的変更は、本発明に含まれる。
【０１２４】
即ち、前記実施例１の雨水流出抑制排水路構造１３では、暗渠１４の一側側に前記充填部材１８…が配設される貯留空間１７を設けているが、特にこれに限らず、例えば、暗渠１４
又は開渠１５の両側に貯留空間１７，１７を設ける等、貯留空間１７の形状や、充填部材１８等の形状、数量及び材質が限定されるものではない。
【図面の簡単な説明】
【０１２５】
【図１】この発明の最良の実施の形態の実施例１の雨水流出抑制排水路構造で、充填部材の上部の補強部材を取り除いた状態での構成を説明する一部断面斜視図である。
【図２】実施例１の雨水流出抑制排水路構造を用いた排水システムの模式的な鉛直断面図である。
【図３】実施例１の雨水流出抑制排水路構造で、充填部材の構成を説明する分解斜視図である。
【図４】実施例１の雨水流出抑制排水路構造で、充填部材の構成を説明する斜視図である。
【図５】実施例１の雨水流出抑制排水路構造で、充填部材の裏面側の構成を説明する斜視図である。
【図６】本発明の実施の形態の実施例２の雨水流出抑制排水路構造で、要部の鉛直断面図である。
【図７】本発明の実施の形態の実施例３の雨水流出抑制排水路構造で、要部の鉛直断面図である。
【図８】本発明の実施の形態の実施例４の雨水流出抑制排水路構造で、角型マンホールの斜視図である。
【図９】本発明の実施の形態の実施例４の雨水流出抑制排水路構造の構成を説明し、上方から見た模式的な平面図である。
【図１０】本発明の実施の形態の実施例５の雨水流出抑制排水路構造の構成を説明し、地中埋設部分の一部断面斜視図である。
【図１１】従来の排水路構造の構成を説明し、排水システムの模式的な縦断面図である。
【図１２】他の従来の排水路構造に用いられるＵ字状ブロックの構成を説明する斜視図である。
【図１３】他の従来の排水路構造で、Ｕ字状ブロックを用いた排水システムを説明する鉛直断面図である。
【符号の説明】
【０１２６】
１３，２３，３３，４３，５３  雨水流出抑制排水路
１４，２４                    暗渠（排水路）
１４ａ，２４ａ                      ボックスカルバート部材（導水溝ブロック）
１５                          開渠（排水路）
１６，２６，３６，５６        浸透渠部
１７，１１７，２１７          貯留空間
１８                          充填部材
１９                          堰（スリット）
２０                          複合マンホール部（マンホール）
２１                          周壁
２４ｃ                        連通孔（スリット）
４３                          角型マンホール（マンホール）
【図１】
2006274628.tif 000003
【図２】
2006274628.tif 000004
【図３】
2006274628.tif 000005
【図４】
2006274628.tif 000006
【図５】
2006274628.tif 000007
【図６】
2006274628.tif 000008
【図７】
2006274628.tif 000009
【図８】
2006274628.tif 000010
【図９】
2006274628.tif 000011
【図１０】
2006274628.tif 000012
【図１１】
2006274628.tif 000013
【図１２】
2006274628.tif 000014
【図１３】
2006274628.tif 000015